(57)【要約】【課題】連結部を介して連結される２つの筐体がターンクローズ状態にあるときに、両筐体間のズレの発生を抑制できる携帯端末装置を提供すること。【解決手段】操作部が配置される操作部側筐体部２のフロントケース２ａに筐体表面よりも突出したバンパー部材２６が配置され、クローズ状態において、ディスプレイ３０が配置された表示部側筐体３のフロントケース３ａのトリムプレート３ｃに形成された凹部３４にバンパー部材２６を挿嵌させることで、クローズ状態での両筐体２，３のズレを好適に抑制する。【選択図】図１
2008199575.tif 000002
【特許請求の範囲】
【請求項１】
正面部に表示部が配置された第１筐体と、
正面部に操作部が配置された第２筐体と、
前記第１筐体と前記第２筐体とを連結する連結機構と、を備え、
前記連結機構は、前記第１筐体の正面部が前記第２筐体の正面部に対向される第１状態、前記第１筐体の背面部が前記第２筐体の正面部に対向される第２状態、及び前記第１筐体の正面部と前記第２筐体の正面部とが露出される第３状態の何れかの状態に遷移可能に前記第１筐体と前記第２筐体とを連結し、
前記第２筐体は、正面部に筐体表面よりも突出して配置されて、前記第１状態のときに前記第１筐体の正面部に当接されるとともに前記第２状態のときに前記第１筐体の背面部に当接される突出部が配設され、
前記第１筐体は、前記第１状態での前記突出部に対向する位置に前記突出部が挿嵌される凹部が形成されている
ことを特徴とする携帯端末装置。
【請求項２】
前記連結機構は、前記第１筐体の長手方向一端側と前記第２筐体の長手方向一端側とを連結し、
前記突出部は、前記第２筐体の前記長手方他端側に配設され、
前記凹部は、前記第１筐体の前記長手方向他端側に配設される
ことを特徴とする請求項１に記載の携帯端末装置。
【請求項３】
前記突出部は、前記第２筐体の短手方向に複数配設され、
前記凹部は、前記突出部に対応して前記第１筐体の短手方向に複数配設される
ことを特徴とする請求項２に記載の携帯端末装置。
【請求項４】
前記突出部は、前記第２筐体の前記短手方向中央を挟んで対称な位置に配設されている
ことを特徴とする請求項３に記載の携帯端末装置。
【請求項５】
前記複数の突出部は、一体的に構成され、
前記凹部が、一体的に形成された前記突出部に対応して連続的に形成される
ことを特徴とする請求項４に記載の携帯端末装置。
【請求項６】
前記突出部は、前記第２筐体の短手方向に延設されるとともに、短手方向中央部よりも短手方向端部側が突出して形成されている
ことを特徴とする請求項５に記載の携帯端末装置。
【請求項７】
前記第１筐体は、背面部に前記第２状態で前記突出部の前記短手方向中央部に対向する位置に第２表示部が配設されている
ことを特徴とする請求項６に記載の携帯端末装置。
【請求項８】
前記突出部は、前記第１状態のときに前記凹部の前記短手方向端面に当接される
ことを特徴とする請求項２乃至７の何れか１項に記載の携帯端末装置。
【請求項９】
前記第１筐体は、受話スピーカが配置され、前記正面部に前記受話スピーカの音声出力孔が形成され、
前記受話スピーカの音声出力孔は、前記凹部内に形成されている
ことを特徴とする請求項１乃至８の何れか１項に記載の携帯端末装置。
【請求項１０】
前記第１筐体は、前記正面部に前記表示部をカバーするカバー部材が配設され、
前記凹部は、前記カバー部材に形成される
ことを特徴とする請求項１乃至９の何れか１項に記載の携帯端末装置。
【請求項１１】
前記第１筐体は、前記カバー部材と前記カバー部材が取り付けられるケース部材とを有して構成され、
前記カバー部材に形成される前記凹部は、前記第１筐体の外部と前記ケース部材と連通する挿通孔を有して形成され、
前記ケース部材は、前記挿通孔に対向した位置に配置されて、前記カバー部材が取り付けられたときに前記挿通孔に挿通されて前記挿通孔に係合する係合部を有する
ことを特徴とする請求項１０に記載の携帯端末装置。
【発明の詳細な説明】
【技術分野】
【０００１】
本発明は、第１筐体と第２筐体とが連結機構を介して連結される携帯端末装置に関する。
【背景技術】
【０００２】
従来、携帯電話機やノート型ＰＣ（Ｐｅｒｓｏｎａｌ  Ｃｏｍｐｕｔｅｒ）などの携帯端末装置は、２つの筐体がヒンジ機構を介して折り畳み可能に連結されて構成される折畳式のものがある。（例えば、特許文献１参照）
また、折り畳み可能に連結するだけでなく、ＬＣＤ（Ｌｉｑｕｉｄ  Ｃｒｙｓｔａｌ  Ｄｉｓｐｌａｙ）などの表示部が配置されている一方の筐体を反転可能に構成して、折り畳み状態で表示部が露出した状態と露出していない状態とに遷移可能に構成される２軸ヒンジ式のものがある。（例えば、特許文献２参照）
そして、これら携帯端末装置には、２つの筐体が折り畳まれた状態において、互い対向する各筐体の外面同士が当接して傷付など発生しないように、少なくとも何れか一方の筐体の対向面に突出部材が配置されている。
【０００３】
具体的には、正面部にテンキーや機能キーなどの操作キーを有する操作部が配置される操作側筐体と、正面部に表示部が配置されている表示側筐体とが連結機構を介して連結されて、表示側筐体が操作側筐体の正面部に対向して位置される閉状態と該閉状態から開方向へ回動されて両筐体が展開される開状態との間で遷移される。
【０００４】
そして、操作側筐体の正面部には突出部材が配設されており、閉状態においては突出部材が表示側筐体の外面に当接されることにより、操作側筐体と表示側筐体の互いに対向する外面同士が当接することが抑制されている。
【特許文献１】特開２００３−１８４９２７
【特許文献２】特開２００５−２２２３８５
【発明の開示】
【発明が解決しようとする課題】
【０００５】
しかしながら、２軸ヒンジ式の携帯端末装置においては、２つの筐体が、折畳状態と展開状態との間での開閉可能に連結されるだけでなく、表示部を備えた一方側の筐体が表裏反転可能に連結されて、開閉軸及び反転軸の２つの回転軸を介して連結される構成であるため、折畳状態において２つの筐体に平面方向のズレが発生しやすくなるといった問題がある。
【０００６】
突出部材は、表示側筐体の外面に当接して両筐体の対向方向への変位を抑制するのみであるため、２つの筐体の平面方向のズレを抑制することはできない。
【０００７】
本発明は、表示部を有する第１筐体と操作部を有する第２筐体とが対向された状態での両筐体の平面方向へのズレを抑制できる携帯端末装置を提供することを目的とする。
【課題を解決するための手段】
【０００８】
本発明の携帯端末装置は、正面部に表示部が配置された第１筐体と、正面部に操作部が配置された第２筐体と、前記第１筐体と前記第２筐体とを連結する連結機構と、を備え、前記連結機構は、前記第１筐体の正面部が前記第２筐体の正面部に対向される第１状態、前記第１筐体の背面部が前記第２筐体の正面部に対向される第２状態、及び前記第１筐体の正面部と前記第２筐体の正面部とが露出される第３状態の何れかの状態に遷移可能に前記第１筐体と前記第２筐体とを連結し、前記第２筐体は、正面部に筐体表面よりも突出して配置されて、前記第１状態のときに前記第１筐体の正面部に当接されるとともに前記第２状態のときに前記第１筐体の背面部に当接される突出部が配設され、前記第１筐体は、前記第１状態での前記突出部に対向する位置に前記突出部が挿嵌される凹部が形成されていることを特徴とする。
【０００９】
また、前記連結機構は、前記第１筐体の長手方向一端側と前記第２筐体の長手方向一端側とを連結し、前記突出部は、前記第２筐体の前記長手方他端側に配設され、前記凹部は、前記第１筐体の前記長手方向他端側に配設されることが好ましい。
【００１０】
また、前記突出部は、前記第２筐体の短手方向に複数配設され、前記凹部は、前記突出部に対応して前記第１筐体の短手方向に複数配設されることが好ましい。
【００１１】
また、前記突出部は、前記第２筐体の前記短手方向中央を挟んで対称な位置に配設されていることが好ましい。
【００１２】
また、前記複数の突出部は、一体的に構成され、前記凹部が、一体的に形成された前記突出部に対応して連続的に形成されることが好ましい。
【００１３】
また、前記突出部は、前記第２筐体の短手方向に延設されるとともに、短手方向中央部よりも短手方向端部側が突出して形成されていることが好ましい。
【００１４】
また、前記第１筐体は、背面部に前記第２状態で前記突出部の前記短手方向中央部に対向する位置に第２表示部が配設されていることが好ましい。
【００１５】
また、前記突出部は、前記第１状態のときに前記凹部の前記短手方向端面に当接されることが好ましい。
【００１６】
また、前記第１筐体は、前記正面部に前記表示部をカバーするカバー部材が配設され、前記凹部は、前記カバー部材に形成されることが好ましい。
【００１７】
さらに、前記第１筐体は、受話スピーカが配置され、前記正面部に前記受話スピーカの音声出力孔が形成され、前記受話スピーカの音声出力孔は、前記凹部内に形成されていることが好ましい。
【発明の効果】
【００１８】
この発明の携帯端末装置にあっては、第１筐体の正面部が第２筐体の正面部に対向される第１状態のときに、第２筐体の正面部に配置された突出部が第１筐体の正面部に対向して形成された凹部に挿嵌されて第１筐体の正面部に当接することにより、第１筐体と第２筐体とが互いに対向する側に変位することが抑制されて、第１筐体や第２筐体の各正面部に傷付きなどの破損が発生することを抑制できる。また、突出部が第１筐体の正面部に形成された凹部に挿嵌することにより、第１筐体と第２筐体とが互いに平面方向に相対変位してズレが発生することを抑制でき、第１状態での外観を好適に保つことができる。
【発明を実施するための最良の形態】
【００１９】
以下、図面を参照して本発明を実施するための最良の形態を説明する。
【００２０】
図１は、本発明に係る携帯端末装置の一例である携帯電話装置１の開いた状態における正面図を示す。また、図２（Ａ）は、携帯電話装置１を開いた状態における左側面図を示し、図２（Ｂ）は、携帯電話装置１を開いた状態における右側面図を示す。また、図３は、携帯電話装置１を開いた状態における背面図を示す。
【００２１】
携帯電話装置１は、表面がフロントケース２ａとリアケース２ｂにより構成される操作部側筐体部（第２筐体）２と、表面がフロントケース３ａとリアケース３ｂにより構成される表示部側筐体（第１筐体）３と、を備えて構成される。操作部側筐体部２は、フロントケース２ａ表面（正面部）に、操作キー群（操作部）１１と、携帯電話装置１の使用者が通話時に発した音声が入カされる音声入カ部１２とが露出するように構成される。また、操作キー群１１は、各種設定や電話帳機能やメール機能などの各種機能を作動させるための機能設定操作キー１３と、電話番号の数字やメールなどの文字などを入力するためのテンキーなどの入力操作キー１４（１４ａはクリアキー）と、各種操作における決定を行う決定キー１５ａと、上下左右方向のスクロール等を行う十字キー１５ｂと、から構成されている。
【００２２】
また、操作キー群１１を構成する各キーには、操作部側筐体部２と表示部側筐体部３の変形状態（オープン状態（第３状態）、クローズ状態（第１状態）、夕ーンクローズ状態（第２状態））や起動されているアプリケーションの種類に応じて、所定の機能の割り当て（キー・アサイン）が行われる。また使用者により操作キー群１１を構成する各キーの押圧動作がされることにより、割り当てられている機能に応じた動作が実行される。
【００２３】
また、操作部側筐体部２の一方の側面には、図２（Ａ）に示すように、外部機器（例えば、ホスト装置）とデータの送受信を行うためのインターフェース１６と、へッドホン／マイク端子１７と、着脱可能な外部メモリのインターフェース１８と、充電端子１９とが設けられている。なお、インターフェース１６、へッドホン端子１７及びイン夕ーフェース１８は、着脱可能な防塵対策用のキャップで覆われている。
【００２４】
また、操作部側筐体部２の他方の側面には、図２（Ｂ）に示すように、一対のサイドキー２０と、撮像用の操作キー２１と、受信角度の調整可能な放送波受信用のアンテナ２２とを備えている。また、サイドキー２０には、操作部側筐体部２と表示部側筐体部３の変形状態（オープン状態、クローズ状態、ターンクローズ状態）や起動されているアプリケーションの種類に応じて、所定の機能の割り当て（キー・アサイン）が行われる。また、使用者によりサイドキー２０の押圧動作が行われることにより、割り当てられている機能に応じた動作が実行される。
【００２５】
また、表示部側筐体部３のフロントケース３ａ表面（正面部）には、各種情報を表示するための所定形状のディスプレイ（表示部）３０と、音声出力部として通話の相手側の音声を出力する受話スピーカ３５を外部に連通するための音声出力孔３１が配設されて構成される。
【００２６】
また、操作部側筐体部２のリアケース２ｂ表面（背面部）には、図３に示すように、被写体を撮像するカメラ部２３と、被写体に光を照射するライト部２４と、が露出して形成されているまた、操作部側筐体部２のリアケース２ｂには、バッテリー９０が着脱可能に格納されているバッテリー収納部を覆うバッテリーリッド２５が設けられている。
【００２７】
また、表示部側筐体部３のリアケース３ｂ表面（背面部）には、各種情報を表示するための所定形状のサブディスプレイ（第２表示部）３２が露出して形成されている。
【００２８】
また、ディスプレイ３０及びサプディスプレイ３２は、液晶パネルと、この液晶パネルを駆動する駆動回路と、この液晶パネルの背面側から光を照射するバックライト等の光源部とから構成される。
【００２９】
また、操作部側筐体部２の長手方向一端側にある上端部と表示部側筐体部３の長手方向一端側にある下端部とは、図１乃至図３に示すように、連結部（連結機構）４により連結されている。連結部４の一方面側には、図３に示すように、一列に配列されて構成されている副操作キー群３３を備えている。また、副操作キー群３３を構成する各キーには、操作部側筐体２と表示部側筐体部３の変形状態（オープン状態、ク口ーズ状態、ターンクローズ状態）や起動されているアプリケーションの種類に応じて、所定の機能の割り当て（キー・アサイン）が行われる。また、使用者により副操作キー群３３を構成する各キーの押圧動作が行われることにより、割り当てられている機能に応じた動作が実行される。
【００３０】
ここで、連結部４の構造と動作について図４乃至図７を用いて説明する。図４は、携帯電話装置１を開いた状態（オープン状態）における斜視図を示す。図５は、図４に示すオープン状態から携帯電話装置１の表示部側筐体部２と操作部側筐体部３を、連結部４の開閉軸Ａを中心に矢印Ａ２方向に閉回転し、閉じた状態（クローズ状態）の平面図を示す。図６は、図４に示すオープン状態から携帯電話装置１の表示部側筐体部２を、連結部４の回動軸Ｂを中心にして矢印Ｂ２方向に１８０°回動した状態（夕ーン状態）の斜視図を示す。図７は、図６に示すターン状態から携帯電話装置１の表示部側筐体部２を、連結部４  の開閉軸Ａを中心に矢印Ａ２方向に閉回転し、閉じた状態（ターンクローズ状態）の斜視図を示す。
【００３１】
連結部４は、操作部側筐体部２と表示部側筐体部３とを、開閉軸Ａを中心にして任意の角度で開閉自在に支持し、且つ回動軸Ｂを中心に任意の角度で回動自在に支持する２軸ヒンジ機構により構成されている。
【００３２】
また、連結部４は、一方端側４ａが図示しない連結部材により操作部側筐体部２の上端部と連結されており、他方端側４ｂが図示しない連結部材により表示部側筐体部３の下端部と連結されている。
【００３３】
連結部４の一方端４ａには、該連結部４における表面から垂直に突出するように形成される凸形状の開閉部４ｃが形成されている。そして、操作部側筐体部２の上端部には、この凸形状の開閉部４ｃが挿嵌される凹形状の切り欠き部２ｃが形成されている。
【００３４】
この開閉部４ｃの開閉軸Ａ方向における両側それぞれには、図示しない孔部Ａが形成される。また、操作部側筐体部２の切り欠き部２ｃにおける両内側面には、図示しない孔部Ｂが形成される。そして、凸形状の開閉部４ｃが、凹形状の切り欠き部２ｃに挿嵌された状態において、孔部Ａと孔部Ｂとは互いに近接して対向するように配置されると共に、孔部Ａと孔部Ｂとの双方に円筒状の開閉連結部材が挿通される。これにより、操作部側筐体部２と連結部４とは、開閉可能に連結される。なお、開閉部４ｃは、操作部側筐体部２の上端部に挿縦される形状であれば良く、特に凸形状に限られず、また、操作部側筐体部２  の上端部の形状も凹形状に限られない。
【００３５】
また、連結部４の他方端側４ｂと表示部側筐体部３の下端部とは、回動連結部材により回動自在に軸着されている。連結部４における表示側管体部３側の側面には図示しない孔部Ｃが形成される。また、表示部側筐体部３における連結部４側の側面には、孔部Ｄが形成される。そして、孔部Ｃと孔部Ｄとの双方に回動連結部材が挿通されることで、操作部側筐体部２と連結部４とが回動軸Ｂを中心に回動可能に連結される。
【００３６】
携帯電話装置１は、上述したように、操作部側筐体部２と表示部側筐体部３とが連結部４により連結されているので、開閉軸Ａを中心にして、相対的に開閉動作させたり、回動軸Ｂを中心にして回動動作をさせたりすることにより様々な状態に変形することができる
例えば、開閉軸Ａを中心にして、矢印Ａ１方向に相対的に開動作をさせることにより、操作部側筐体部２と表示部側筐体部３とを互いに開いた状態（開放（オープン）状態；第３状態）にすることができる。
【００３７】
また、開閉軸Ａを中心にして、矢印Ａ１方向に相対的に閉動作をさせることにより、操作部側筐体部２と表示部側筐体部３とを折り畳んだ状態（折畳み（クローズ）状態；第１状態）にすることができる（図５を参照）。
【００３８】
また、オープン状態において、回動軸Ｂを中心に表示部側筐体部３を矢印Ｂ２方向に１８０°回動させ（図６及び図７を参照）、開閉軸Ａを中心にして表示部側筐体部３を矢印Ａ２方向に閉動作させてクローズ状態にすることにより、表示部側筐体部３のフロントケース３ａが外側に露出したまま折畳んだ状態（回転折畳み（ターンクローズ）状態；第２状態）にすることができる（図８を参照）。
【００３９】
なお、本実施形態においては、連結部４による折り畳み式の携帯電話装置１の説明をしているが、折り畳み式ではなく、両筐体２、３を重ね合わせた状態から一方の筐体を一方向にスライドさせるようにしたスライド式や、重ね合せ方向に沿う軸線を中心に一方の筐体を回転させるようにした回転（リポルパ）式でも良い。
【００４０】
また、図８は、操作部側筐体部２に内蔵される部材の分解斜視図である。
【００４１】
操作部側筐体部２は、図８に示すように、フロントケース２ａと、上述した操作キー群１１を構成するキーシート４０と、キースイッチ用のフレキシブルプリント配線基板５０と、シールドケース６０と、基準電位パターン層及び携帯電話機用のＲＦ（Ｒａｄｉｏ  Ｆｒｅｑｕｅｎｃｙ）モジュール等の各種電子部品を備える回路基板７０と、アンテナ部８０と、リアケース２ｂと、バッテリー９０と、バッテリーリッド２５と、を備える。また、バッテリー９０は、リアケース２ｂの外側から装脱可能に収納される。
【００４２】
また、フロントケース２ａとリアケース２ｂとは、互いの凹状の内側面が向き合うように配置され、互いの外周縁が重なり合うようにして結合される。また、フロントケース２ａとリアケース２ｂとの間には、キーシート４０と、フレキシブルプリント配線基板５０と、シールドケース６０と、回路基板７０と、アンテナ部８０と、がこの順番で構成されている。つまり、フレキシプルプリント配線基板５０を覆うようにしてシールドケース６０が積層配置され、また、フレキシブルプリント配線基板５０の上面にキーシート４０が積層配置される。
【００４３】
フロントケース２ａには、携帯電話装置１を折り畳んだ状態で表示部側筐体部３のディスプレイ３０と対向する内側面に、キー孔が複数形成される。複数のキー孔それぞれからは、機能設定操作キー１３、入力操作キー１４及ぴ十字キー１５ｂの押圧面が露出する。この露出した操作キー群１１を構成する機能設定操作キー１３、入力操作キー１４及び十字キー１５ｂの押圧面を押し下げるように押圧することで、対応するキースイッチのそれぞれにおけるメタルドーム（椀状形状）の頂点が押圧され、スイッチ端子に接触して電気的に導通する。
【００４４】
また、図９は、表示部側筐体部３に内蔵される部材の分解斜視図である。
【００４５】
表示部側筐体部３は、図９に示すように、フロントケース３ａと、ディスプレイユニット１００と、金属フレーム１１０と、基準電位パターン及びディスプレイ用の電子部品を備える回路基板１２０と、サプディスプレイユ二ット１３０と、リアケース３ｂと、を備える。
【００４６】
また、フ口ントケース３ａとリアケース３ｂとは、互いの凹状の内側面が向き合うように配置され、互いの外周縁が重なり合うようにして結合される。また、フロントケース３ａとリアケース３ｂとの間には、ディスプレイユ二ット１００と、金属フレーム１１０と、回路基板１２０と、サプディスプレイユニット１３０と、がこの順番で配置されている。ディスプレイユニット１００は、ディスプレイ３０と、当該ディスプレイ３０を固定するホルダーとにより構成されている。金属フレーム１１０は、剛性確保として機能する。
【００４７】
回路基板１２０は、図示しないが、リアケース３ｂと向き合う面に各種電子部品が配置されている。当該各種電子部品は、所定の組み合わせにより複数の回路プロックを形成する。例えば、ディスプレイ３０やサプディスプレイ３２の表示態様やそのタイミング等の表示制御を行う表示制御ブロックが形成されている。また、回路基板１２０には、金属フレーム１１０と向き合う面に導通部材が設けられており、当該導通部材を介して金属フレーム１１０と導通することにより、電気的に接地される。サプディスプレイユニット１３０は、サブディスプレイ３２と、当該サプディスプレイ３２を固定するホルダーとにより構成されている。
【００４８】
そして、フロントケース３ａは、開口部３ａ′が形成されるとともに、この開口部３ａ′を閉塞するように筐体外面側にトリムプレート（カバー部材）３ｃが接着などにより取り付けられている。このトリムプレートは、アクリルなどの樹脂部材によって平面板状に形成され、透過性を有して構成されている。よって、フロントケース３ａとリアケース３ｂとが結合されると、両者間に配設されているディスプレイユニット１００がフロントケース３ａの開口部３ａ′に挿入された状態となり、ディスプレイユニット１００のディスプレイ３０は、トリムプレート３ｃを介して外部に露出されることとなり、筐体外部からディスプレイ３０に表示される画像を視認することができる。
【００４９】
また、表示部側筐体部３の連結部４側（長手方向一端側）とは反対側の端部側（長手方向他端側。図９における左端側）には、図示しない受話スピーカが配設されており、トリムプレート３ｃには、この受話スピーカからの音声を筐体外部に出力するために筐体外部と受話スピーカとを連通させる孔形状の音声出力部（音声出力孔）３１が形成されている。
【００５０】
次に、本発明の要部について詳細に説明を行う。
【００５１】
図１乃至図６に示されるように、操作部側筐体部２のフロントケース（正面部）２ａの連結部４側（長手方向一端側）とは反対側の端部側（長手方向他端側）には、フロントケース２ａの筐体表面よりも突出して配置されるバンパー部材（突出部）２６が配設されている。このバンパー部材２６は、他端側に緩やかに湾曲した形状とされて、操作部側筐体部２の幅方向（短手方向）に延設されている。なお、このバンパー部材２６は、弾性特性を有する樹脂部材で構成されている。また、このバンパー部材２６と入力操作キー１４との間の幅方向中央に音声入カ部１２が配設されている。
【００５２】
また、表示部側筐体部３のトリムプレート３ｃには、図５に示されるクローズ状態において、操作部側筐体部２のフロントケースに配置されているバンパー部材２６に対向する位置に、筐体内部側に窪んで形成され、このクローズ状態においてバンパー部材２６の先端部が挿嵌される凹部３４が配設されている。この凹部３４は、バンパー部材２６の形状に沿って、表示部側筐体部３の他端側に緩やかに湾曲して形成されている。また、凹部３４の幅方向中央には、音声出力部３１が配設されている。すなわち、トリムプレート３ｃの筐体他端側（長手方向他端側）には、幅方向（筐体短手方向）に延設される凹部と、この凹部の中央に音声出力部３１が配設されている。
【００５３】
クローズ状態を示す図５におけるＸ−Ｘ線上の断面図を図１０に示す。図１０（Ａ）は、断面全体概略図であり、図１０（Ｂ）は、図１０（Ａ）の要部拡大断面図である。
【００５４】
図１０（Ａ）に示されるように、操作部側筐体部２のフロンケース２ａの長手方向他端部には幅方向（短手方向）に溝状に形成される窪み部が延設されており、この窪み部にバンパー部材２６が接着テープなどを用いて接着により装着されている。このバンパー部材がフロントケース２ａに取り付けられた状態において、バンパー部材２６は、突出先端部が筐体幅方向全域に亘ってフロントケース２Ａの外面（筐体表面）よりも筐体外部側に突出するように形成されている。更に、バンパー部材２６は、筐体外部側への突出量が筐体幅方向中央よりも筐体幅方向端部側で多くなるように形成されている。また、バンパー部材２６は、筐体幅方向中央を挟んで対称となるように配設されている。
【００５５】
よって、クローズ状態においては、図１０（Ａ）に示すように、バンパー部材２６が表示部側筐体部３のトリムプレート３ｃに形成された凹部３４に挿嵌されることとなるが、バンパー部材２６の幅方向両端部のみが表示部側筐体部３に当接する。
【００５６】
このように、クローズ状態では、操作部側筐体部２の筐体表面に突出して配設されるバンパー部材２６が表示部側筐体部３の筐体表面に当接することとなり、表示部側筐体部３の筐体表面（トリムプレート３ｃ）と操作部側筐体部２の筐体表面（フロントケース２ａ）との間の空隙を確保することができ、両筐体２，３のいずれかに互い対向する側への荷重が加えられた場合でも、両筐体２，３の筐体表面同士が接触することを抑制でき、筐体表面に傷付きや破損などが発生することを抑制できる。
【００５７】
また、バンパー部材２６が、連結部４と連結される操作部側筐体部２の長手方向一端側とは反対側の長手方向他端側に配設されるので、クローズ状態での両筐体の当接を効果的に抑制することができる。
【００５８】
また、バンパー部材２６は、筐体幅方向に延設されているため、筐体幅方向に亘って当接し表示部側筐体部３を支持することができ、クローズ状態での筐体のガタツキを抑制できる。特に、筐体幅方向の両端側で当接させることで、両筐体２，３の対向方向（図１０（Ａ）に示す上下方向）でのガタツキを好適に抑制することができる。なお、バンパー部材２６の筐体幅方向中央部は、通常のクローズ状態では表示部側筐体部３の筐体表面（トリムプレート３ｃ）には当接されないが、両筐体２，３の何れかに互い対向する方向（筐体厚さ方向）への荷重が加えられた場合には表示部側筐体部３の筐体表面に当接されて表示部側筐体部３を支持し、筐体幅方向中央での両筐体２，３間の空隙を確保して筐体表面同士が当接することを抑制する。
【００５９】
更に、本実施形態では、バンパー部材２６が表示部側筐体部３の筐体表面（トリムプレート３ｃ）に形成された凹部３４に挿嵌されているため、両筐体２，３の対向する表面の平面上と略平行な方向の両筐体のズレを抑制することができる。特に、図１０（Ｂ）に示されるように、筐体幅方向端部側では、バンパー部材２６の筐体幅方向端面（図１０（Ｂ）の右側端面）と凹部３４の筐体幅方向端面に対向して位置されるため、両筐体２，３が筐体幅方向に変位しようとしても、バンパー部材２６の筐体幅方向端面と凹部３４の筐体幅方向端面とが当接されて、両筐体２，３の幅方向におけるズレの発生を抑制することができる。
【００６０】
さらには、本実施形態での携帯電話装置１は、表示部側筐体３と操作部側筐体部２とが、開閉軸Ａと反転軸Ｂとの２つの回転軸を有する連結部４によって連結される構成であるため、両筐体２，３が互いに対向される状態においては、両筐体２，３の対向面と平行な方向への相対変位がバンパー部材２６の凹部３４への挿嵌によって抑制されるため、２つの回転軸を有する連結部４によって２つの筐体が連結される携帯電話装置１におけるクローズ状態でのズレを好適に抑制することができる。
【００６１】
図１１は、クローズ状態での図５に示すＹ−Ｙ線の要部拡大断面図である。この図１１に示されるように、操作部側筐体部２の長手方向他端側に筐体表面よりも突出してバンパー部材２６が配設され、表示部側筐体部３のバンパー部材２６に対向する位置には凹部３４が形成されており、バンパー部材２６の突出先端部が凹部３４に挿嵌されている。図１１は、筐体幅方向中央での構成を示しているため、バンパー部材２６は幅方向端部よりも低く形成されているため表示部側筐体部３の筐体表面（トリムプレート３ｃ）に当接していない。
【００６２】
トリムプレート３ｃの凹部３４には孔形状の音声出力部３１が形成されており、この音声出力部３１に対応した表示部側筐体部３の内部には受話スピーカ３５が配設されている。また、操作部側筐体部２の筐体幅方向中央でのバンパー部材２６に対応する筐体内部には音声入カ部１２と連通されたマイク２７が配置されている。
【００６３】
次に、ターンクローズ状態での構成について説明する。図１２は、ターンクローズ状態での図１０に対応する断面図であり、図１２（Ａ）は筐体幅方向での断面図を示し、図１２（Ｂ）は図１２（Ａ）の筐体幅方向中央の要部拡大断面図を示している。
【００６４】
図１２（Ａ）に示されるように、バンパー部材２６は筐体幅方向端部側が中央よりも突出して形成されているため、ターンクローズ状態でも表示部側筐体部３は、バンパー部材２６と筐体幅方向両端側で当接し、筐体幅方向両端側で操作部側筐体部２に支持されることとなる。リアケース３ｂの筐体幅方向中央にはサプディスプレイ３２が配置されているが、バンパー部材２６は幅方向中央部が両端側に対して低く形成されているため、通常のターンクローズ状態では、表示部側筐体部３のリアケース３ｂの幅方向両端側がバンパー部材２６に当接し、該リアケース３ｂの幅方向中央に配置されているサプディスプレイ３２はバンパー部材２６に当接されない。よって、通常のターンクローズ状態では、サプディスプレイ３２はバンパー部材２６に当接されないので、サプディスプレイ３２の傷付などをより抑制できる。なお、表示部側筐体部３に筐体厚さ方向への荷重が加えられた場合、サプディスプレイ３２は、バンパー部材２６に当接して操作部側筐体部２の筐体表面との当接が抑制されて、サプディスプレイ３２の傷付などをより抑制できる。
【００６５】
以上のように、本実施形態での携帯端末装置によれば、以下の効果がある。
【００６６】
操作部が配置される操作部側筐体部２のフロントケース２ａに筐体表面よりも突出したバンパー部材２６が配置され、クローズ状態において、ディスプレイ３０が配置された表示部側筐体３のフロントケース３ａのトリムプレート３ｃに形成された凹部３４にバンパー部材２６が挿嵌されるので、クローズ状態での両筐体２，３のズレを好適に抑制すルことができ、外観上の美観を好適にすることができる。更には、バンパー部材２６の突出先端部が凹部３４に入り込むことにより、携帯電話装置１の筐体厚さ方向における小型化（薄型化）を図ることができる。
【００６７】
また、バンパー部材２６は、連結部４に連結される筐体長手方向の一端側とは反対側の他端側に配置されるので、両筐体２，３のズレをより好適に抑制することができる。  
また、バンパー部材２６が、筐体幅方向に亘って延設されて、筐体幅方向の両端側で当接するので、表示部側筐体部３を好適に支持することができる。また、バンパー部材２６が、筐体幅方向中央を挟んで対称に配設されているので、表示部側筐体部３をより好適に支持することができる。
【００６８】
また、バンパー部材２６は、筐体幅方向両側で表示部側筐体を支持する部位が一体的に構成されているので、部品点数を削減でき安価に構成できるとともに、組付け作業を好適に行うことができる。  
また、バンパー部材２６は、筐体幅方向両端側が中央部よりも筐体外部に突出するように構成されているため、表示部側筐体部３を幅方向両端側で好適に支持することができ、ガタツキやズレを好適に抑制することができる。
【００６９】
また、表示部側筐体部３の背面側にサブディスプレイ３２が配置される場合であっても、バンパー部材の幅方向中央部は低く形成されるので、ターンクローズ状態においてサブディスプレイ３２が常時バンパー部材２６に当接することが抑制され、サブディスプレイ３２の傷付などを好適に抑制できる。  
また、バンパー部材２６は、クローズ状態のときに凹部３４の筐体幅方向端面に当接されるので、筐体幅方向へのズレを好適に抑制することができる。
【００７０】
また、凹部３４は、表示部側筐体部３のフロントケース３ａに取り付けられるトリムプレート３ｃに形成されるので、フロントケース３ａの構造を変更する必要が少なく、凹部３４の簡素に形成することができる。  
また、受話スピーカ３５の音声出力孔３１を凹部３４内に形成したので、表示部側筐体部３の正面視のデザインを悪化させることなく、奥部３４と音声出力孔３１とを配設することができる。
【００７１】
次に、上述した実施形態の変形例について説明する。
【００７２】
上述した実施形態では、表示部側筐体部３のトリムプレート３ｃに凹部３４が形成される構成としたが、本変形例では、トリムプレート３ｃに挿通孔３４ａが形成される構成となっている。この構成におけるクローズ状態での断面図を図１３に示す。なお、操作部側筐体部２の構成は上述した実施形態の構成とほぼ同一となっている。
【００７３】
図１３に示されるように、トリムプレート３ｃには、上述した実施形態での凹部３４と同様に、操作部側筐体部２のフロントケース２ａに配置されているバンパー部材２６に対向する位置に、バンパー部材２６に向けて開口する（言い換えれば、表示部側筐体部３のフロントケース（ケース部材）３ａの外面を筐体外部へ露出させて、該フロントケース３ａと筐体外部とを連通する）ように形成されており、このクローズ状態においてバンパー部材２６の先端部が挿通される挿通孔３４ａが配設されている。この挿通孔３４ａは、バンパー部材２６の形状に沿って、表示部側筐体部３の他端側に緩やかに湾曲して形成されている。また、挿通孔３４ａは、上述した実施形態における音声出力部３１としても機能している。すなわち、トリムプレート３ｃの筐体他端側（長手方向他端側）には、幅方向（筐体短手方向）に延設されて、音声出力部としても機能する挿通孔３４ａが配設されている。
【００７４】
具体的には、表示部側筐体部３の正面部を形成するフロントケース３ａにおける筐体長手方向の他端側の筐体内面に受話スピーカ３５が配置されており、フロントケース３ａには、受話スピーカ３５に対向する位置に受話スピーカ３５の音出力面と筐体外部とを連通して、受話スピーカ３５から出力された音響を外部に出力するための音声出力孔３１が形成されている。この音声出力孔３１は、受話スピーカ３５に対向するとともにクローズ状態でバンパー部材２６に対向する位置に形成されている。そして、フロントケース３ａの正面（図１３における下面）に接着などによって固設されるトリムプレート３ｃは、クローズ状態でバンパー部材２６に対向する位置にバンパー部材２６の形状に沿って湾曲状に形成される挿通孔３４ａが形成されており、フロントケース３ａに形成された音声出力孔３１は挿通孔３４ａを介して筐体外部に露出される構成となっている。
【００７５】
図１４は、図１３における部分拡大断面図を示している。図１３及び図１４に示されるように、表示部側筐体部３のフロントケース３ａには、挿通孔３４ａに対向する領域に筐体外部側に突出して形成される係合部３ｄが配置されている。そして、この係合部３ｄは、トリムプレート３ｃがフロントケース３ａに結合された状態において、挿通孔３４ａに挿通されて係合することとなる。このように、トリムプレート３ｃの挿通孔３４ａに対向する領域に形成される係合部３ｄが挿通孔に係合する構成とされるため、トリムプレート３ｃのフロントケース３ａへの取り付け時に、係合部３ｄが挿通孔３４ａに嵌挿されて、トリムプレート３ｃのフロントケース３ａへの位置決めがなされて、トリムプレート３ｃのフロントケース３ａへの取付作業性を向上させることができる。
【００７６】
なお、係合部３ｄは、その周縁部にさらに筐体外部側へ突出して形成される突起部３ｅが円周状に形成されており、クローズ状態でのバンパー部材２６に対向する位置に周縁部に円周状に形成される突起部３ｅによって凹部３ｆが形成される構成とされている。よって、クローズ状態では、図１３及び図１４に示されるように、挿通孔３４ａに対向して配置されるバンパー部材２６の先端部が挿通孔３４ａに挿嵌される係合部３ｄの凹部３ｆの底面に当接される。
【００７７】
バンパー部材２６は、筐体幅方向の両端側に傾斜部２６ａが形成されており、図１４に示すクローズ状態で傾斜部２６ａの傾斜面が突起部３ｅに対向して配置される。よって、図５に示されるクローズ状態であるときに、操作部側筐体部２と表示部側筐体部３との少なくとも一方に筐体幅方向（図１４における左右方向）への応力が作用した場合、バンパー部材２６の傾斜部２６ａが係合部３ｄの突起部３ｅに当接されることとなり、操作部側筐体部２と表示部側筐体部３との筐体幅方向への相対変位が抑制されることとなり、両筐体２，３の幅方向におけるズレの発生を抑制することができる。
【００７８】
操作部側筐体部２のフロントケース２ａには、バンパー部材２６が配設される領域に筐体内部側に窪んで形成される溝形状の窪み部２ｄが配設され、この窪み部２ｄにバンパー部材２６の底面部が挿嵌される。この窪み部２ｄは、筐体幅方向の両端部が筐体内部側にさらに窪んで形成されて、バンパー部材２６の筐体幅方向両端部の底面とフロントケース２ａとの間に空間部２ｅを形成して構成される。
【００７９】
バンパー部材２６は、操作部側筐体部２のフロントケース２ａに取り付けられた状態において、突出先端部が筐体幅方向全域に亘ってフロントケース２ａの外面（筐体表面）よりも筐体外部側に突出するように形成されている。更に、バンパー部材２６は、筐体外部側への突出量が筐体幅方向中央よりも筐体幅方向端部側で多くなるように形成されている。また、バンパー部材２６は、筐体幅方向中央を挟んで対称となるように配設されている。
【００８０】
よって、クローズ状態においては、図１３及び図１４に示すように、バンパー部材２６が表示部側筐体部３のトリムプレート３ｃに形成された挿通孔３４ａに挿嵌されるとともに、バンパー部材２６の幅方向両端部のみが表示部側筐体部３のフロントケース３ａ（係合部３ｄ）に当接する。よって、図１３及び図１４に示されるクローズ状態では、バンパー部材２６の表示部側筐体部３への当接によって、表示部側筐体部３のトリムプレート３ｃと操作部側筐体部２のフロントケース２ａとの間に空隙が確保されて、該トリムプレート３ｃとフロントケース２ａとの当接が抑制されるので、当接による傷付きなどを抑制することができる。
【００８１】
さらに、図１３及び図１４に示すクローズ状態から、操作部側筐体部２と表示部側筐体部３との少なくとも一方に筐体厚さ方向（図１３及び図１４における上下方向）への外力が作用した場合、表示部側筐体部３に当接しているバンパー部材２６の筐体幅方向の両端部が筐体厚さ方向などに弾性変形するとともに、バンパー部材２６の筐体幅方向中央部が表示部側筐体部３に当接することとなり、操作部側筐体部２と表示部側筐体部３との筐体厚さ方向での互いに近づく方向への相対変位が規制されて、両筐体の間の該間隙が確保されて傷付きなどを好適に抑制することができる。
【００８２】
そして、フロントケース２ａの窪み部２ｄには、筐体幅方向両端側でバンパー部材２６との間に空間部２ｅが形成される構成であるため、バンパー部材２６の筐体幅方向両端部が弾性変形によって空間部２ｅに変位されることとなり、バンパー部材２６の弾性変形が好適に行える構成となっている。そして、バンパー部材２６の空間部２ｅへの弾性変形によって、バンパー部材２６による衝撃吸収が好適に行われることとなる。
【００８３】
また、図１３及び図１４に示されるクローズ状態では、バンパー部材２６の筐体幅方向の両端側に、係合部３ｄの周縁部に配置されて凹部３ｆを形成する突起部３ｅが対向して配設されるため、携帯電話装置１の落下などによって操作部側筐体部２と表示部側筐体部３との少なくとも一方に筐体幅方向（図１３及び図１４の左右方向）の応力（衝撃）が作用した場合には、バンパー部材２６は突起部３ｅへ当接し、トリムプレート３ｃの挿通孔３４ａの周縁部に当接することが抑制される。よって、いずれかの筐体に筐体幅方向の応力（衝撃）が加えられた場合であっても、係合部３ｄ（突起部３ｅ）の存在によりトリムプレート３ｃの挿通孔３４ａの周縁部に応力（衝撃）が作用することを抑制することができ、トリムプレート３ｃの破損（割れなど）を抑制することができる。
【００８４】
また、バンパー部材２６の筐体幅方向両端部とフロントケース２ａとの間に空間部２ｅを形成して、筐体幅方向への衝撃が作用した場合にバンパー部材２６の両端部が空間部２ｅへ変位されるように、バンパー部材２６の逃げ部を設けた構成としたため、筐体幅方向への衝撃が発生した場合にバンパー部材２６がトリムプレート３ｃに当接することをより確実に抑制することができ、トリムプレート３ｃの破損などをより好適に抑制することができる。仮に、バンパー部材２６の両端部がトリムプレート３ｃに当接したとしても、バンパー部材２６の空間部２ｅへの変位によってバンパー部材２６からトリムプレート３ｃに伝達される応力が軽減されて、トリムプレートの破損が抑制される。
【００８５】
なお、フロントケース３ａに係合部３ｄを設けない構成（クローズ状態でバンパー部材２６の筐体幅方向両端部がトリムプレート３ｃの挿通孔３４ａの周縁部に対向して配置される構成）とした場合であっても、同様にバンパー部材２６の筐体幅方向両端部とフロントケース２ａとの間に空間部２ｅ（逃げ部）を形成する構成とすることにより、筐体に幅方向の衝撃が作用した場合にバンパー部材２６の両端部が空間部２ｅへと変位されてトリムプレート３ｃに当接することを抑制でき、トリムプレート３ｃに衝撃（応力）が作用することを抑制でき、トリムプレート３ｃの破損を好適に抑制することができる。仮に、バンパー部材２６の両端部がトリムプレート３ｃに当接したとしても、バンパー部材２６の空間部２ｅへの変位によってバンパー部材２６からトリムプレート３ｃに伝達される応力が軽減されて、トリムプレートの破損が抑制される。
【００８６】
なお、図７に示されるターンクローズ状態においても、バンパー部材２６は、図１２に示される上述した実施形態と同様に表示部側筐体部３の背面側を支持することができる。
【００８７】
以上のように、本変形例では、カバー部材としてのトリムプレート３ｃが、突出部としてのバンパー部材２６に対応した位置に、ケース部材としての表示部側筐体部３のフロントケース３ａと筐体外部とを連通して、クローズ状態でバンパー部材２６の先端部が挿通される挿通孔３４ａを形成して構成される。
【００８８】
上述した実施形態では、凹部３４としてトリムプレート３ｃに溝が形成される構成であるが、凹部としての溝（窪み）を切削加工にて形成する際には強度的な問題から０．３ｍｍ程度が限界となって凹部の深さが浅くなる。よって、上述した実施形態では、クローズ状態（図５参照）及びターンクローズ状態（図７参照）での筐体厚さを略同一にしようとすると、表示部側筐体部３の背面部に丸み（Ｒ形状）を持たせた形状とすることが難しくなりデザイン的な制約が生じる。
【００８９】
これに対して、本変形例では、トリムプレート３ｃにバンパー部材２６が挿通される挿通孔３４ａを形成した構成としたので、上述した実施形態（凹部３４）に対してバンパー部材２６の表示部側筐体部３への挿嵌度合いをより高めることができ、表示部側筐体部３の背面部に丸みを持たせた形状としてもクローズ状態及びターンクローズ状態での筐体厚さを略同一にすることが可能となり、デザイン的に良好な形状とすることができる。
【００９０】
また、本変形例では、トリムプレート３ｃに挿通孔３４ａを形成する構成としたことにより、トリムプレート３ｃが表示部側筐体部３の長手方向他端まで配置される構成とすることができ、トリムプレート３ｃのフロントケース３ａへの取付領域（接着面積）を拡大して、トリムプレート３ｃの取付強度を高めることができ、落下時などにＬＣＤ  ＷＩＮＤＯＷが外れることを抑制することができる。また、取付領域の拡大によって、ディスプレイ３０の表示領域を拡大することができ、表示画面の大型化が可能となる。
【００９１】
なお、トリムプレート３ｃを構成するアクリルなどの樹脂部材は、射出成形よりも切削加工により形成される方が強度を高くすることができるため、上述した実施形態及び本変形例では、トリムプレート３ｃは切削加工により形成されており、挿通孔３４ａも切削加工によって形成されているが、射出成形によってトリムプレート３ｃ及び凹部３４又は挿通孔３４ａを形成するように構成されても良い。
【００９２】
また、本変形例では、表示部側筐体部３のフロントケース３ａには挿通孔３４ａに挿嵌されてトリムプレートと係合される係合部３ｄが配設される構成となっており、この係合部３ｄの挿通孔３４ａへの係合（挿嵌）によって、トリムプレート３ｃのフロントケース３ａへの取り付けを容易に行うことができる。さらに、バンパー部材２６は、フロントケース３ａに形成された係合部３ｄに当接するとともに、この係合部３ｄの筐体幅方向両端側に突起部３ｅが配設される構成であるため、バンパー部材２６が挿通孔３４ａを形成するトリムプレート３ｃのエッジ部に当接することが抑制され、両者が擦れたりバンパー部材２６が削れたりすることを抑制することができる。
【００９３】
なお、本発明における携帯端末装置は、上述した実施形態及び変形例の構成に限定されるものではなく、本発明の趣旨を逸脱しない範囲で適宜変更可能である。  
例えば、携帯端末装置として、携帯電話装置１を一例として説明したが、携帯電話装置に限定されることなく、電子手帳やＰＤＡ（Ｐｅｒｓｏｎａｌ  Ｄｉｇｉｔａｌ  Ａｓｓｉｓｔａｎｔｓ）やＰＣ（Ｐｅｒｓｏｎａｌ  Ｃｏｍｐｕｔｅｒ）などの携帯端末装置にも適用可能である。
【００９４】
また、表示部側筐体部３の筐体幅方向両端側を支持するバンパー部材２６を筐体幅方向に延設されて一体的に形成される構成としたが、筐体幅方向両端側を支持するバンパー部材２６を筐体幅方向で分割して複数配置するような構成としてもよい。また、表示部側筐体部３に複数個所で当接して支持する構成でなくとも、筐体幅方向中央部のように少なくとも１箇所に当接させて支持するように構成してもよい。
【００９５】
また、バンパー部材２６の配置は、筐体長手方向他端側に限定されることなく、筐体長手方向一端側であってもよい。
【００９６】
更には、表示部側筐体部３の背面部（リアケース３ｂ）にもバンパー部材２６に対向する位置に凹部を配設するように構成してもよい。ただし、表示部側筐体部３の背面部が露出される状態での使用頻度が高いため、表示部側筐体部３の正面部（トリムプレート３ｃ）にのみ凹部を配設するのが好ましい。なお、上述した実施形態では、凹部３４をフロントケース３ａの前面全体を被覆するトリムプレート３ｃに形成する構成としたが、フロントケース３ａのようにトリムプレート３ｃ以外の部位に形成するように構成してもよい。
【図面の簡単な説明】
【００９７】
【図１】本発明に係る携帯電話装置の開いた状態における正面図である。
【図２】本発明に係る携帯電話装置の開いた状態における側面図である。
【図３】本発明に係る携帯電話装置の開いた状態における背面図である。
【図４】本発明に係る携帯電話装置の開いた状態における斜視図である。
【図５】本発明に係る携帯電話装置の表示部側筐体部と操作部側筐体部を、閉じた状態（ク口ーズ状態）における平面図である。
【図６】本発明に係る携帯電話装置の表示部側筐体部を、連結部の回動軸を中心にして１８０°回動した状態（ターン状態）における斜視図である。
【図７】図６に示す表示部側筐体部を、連結部の開閉軸を中心に閉回転し、閉じた状態（ターンクローズ状態）における斜視図である。
【図８】本発明に係る携帯電話装置の操作部側筐体部に内蔵される部材の分解斜視図である。
【図９】本発明に係る携帯電話装置の表示部側筐体部に内蔵される部材の分解斜視図である。
【図１０】本発明に係る携帯電話装置の表示部側筐体部と操作部側筐体部を、閉じた状態（ク口ーズ状態）における断面図である。
【図１１】本発明に係る携帯電話装置の表示部側筐体部と操作部側筐体部を、閉じた状態（ク口ーズ状態）における要部拡大断面図である。
【図１２】本発明に係る携帯電話装置の表示部側筐体部と操作部側筐体部を、閉じた状態（ターンクローズ状態）における断面図である。
【図１３】本発明に係る携帯電話装置の表示部側筐体部と操作部側筐体部を、閉じた状態（クローズ状態）における断面図である。
【図１４】本発明に係る携帯電話装置の表示部側筐体部と操作部側筐体部を、閉じた状態（クローズ状態）における要部拡大断面図である。
【符号の説明】
【００９８】
１  携帯電話装置（携帯端末装置）、２  操作部側筐体部、２ａ，３ａ  フロントパネル、２ｂ，３ｂ  リアパネル、３  表示部側筐体部、３ｃ  トリムプレート、３ｄ  係合部、３ｅ  突起部、４  連結部、１１  操作キー群（操作部）、１２  音声入力部、２６  バンパー部材（突出部）、３０  ディスプレイ、３１  音声出力部、３２  サブディスプレイ、３４  凹部、３４ａ  挿通孔、３５  受話スピーカ
【図１】
2008199575.tif 000003
【図２】
2008199575.tif 000004
【図３】
2008199575.tif 000005
【図４】
2008199575.tif 000006
【図５】
2008199575.tif 000007
【図６】
2008199575.tif 000008
【図７】
2008199575.tif 000009
【図８】
2008199575.tif 000010
【図９】
2008199575.tif 000011
【図１０】
2008199575.tif 000012
【図１１】
2008199575.tif 000013
【図１２】
2008199575.tif 000014
【図１３】
2008199575.tif 000015
【図１４】
2008199575.tif 000016